(57)【特許請求の範囲】
【請求項１】
ガラス開閉体を表裏から挟む一対の錠ケースと、
一方の前記錠ケースに基端部が固定され前記ガラス開閉体を貫通して他方の前記錠ケースに挿入され先端面に雌ネジを有するスタッドナットと、
他方の前記錠ケース内に基端部が固定され先端部が自由端となり、前記基端部に対して少なくとも一対の先端部を備えた形状の片持ち固定プレートと、
該片持ち固定プレートの先端部と前記スタッドナットの先端面との間に設けられた締め付け間隙と、
前記片持ち固定プレートの先端部を貫通して前記スタッドナットの雌ネジに螺合される取付ネジと、
を具備するとともに、
前記片持ち固定プレートの各先端部には前記取付ネジを貫通させる取付穴が、前記片持ち固定プレートの基端部から先端部に向かう方向に長い長穴で形成されていることを特徴とする面付錠の固定構造。
【請求項２】
前記片持ち固定プレートが、
短冊状に形成した前記基端部の長手方向両端から同一方向に前記先端部を延出した一対の長板と、該一対の長板の間で同一方向に前記先端部を延出した短板とからなる略Ｅ字形状に形成されることを特徴とする請求項１記載の面付錠の固定構造。
【請求項３】
前記片持ち固定プレートの基端部が、選択的に挟入可能な複数枚のライナーを介して他方の前記錠ケースに螺着されることを特徴とする請求項１または２に記載の面付錠の固定構造。
【発明の詳細な説明】
【技術分野】
【０００１】
本発明は、扉表面に取付けられる面付錠の固定構造に関し、特に、締め付け歪みの小さいガラス扉に用いて好適なものである。
【背景技術】
【０００２】
近年、ガラス素材の強度向上によって全面ガラス扉が多用されるようになってきている。全面ガラス扉は、例えばオフィスビルの玄関や店舗の入り口に設置される場合に、施錠装置を設ける必要がある。従来、この種の全面ガラス扉に施錠装置を設ける場合には、吊元金具や、上框、下框或いは中央部に付設した金属枠部に施錠装置を設けるのが一般的であった。ところが、施錠装置を設けるために金属枠部分を付設するのでは、折角の全面ガラス扉の意匠性を低下させることがあり、好ましくはこれら金属枠部分が設けられない方が良い。このような不具合を解消するものに、扉ガラス素材に直接穿設した取付穴を利用して、施錠装置のみを全面ガラス扉に取り付けた特許文献１のドア錠が提案されている。このドア錠によれば、全面ガラス扉に施錠装置を設けるための金属枠部を付設せずに、全面ガラス扉の開閉端にドア錠のみを取り付けでき、全面ガラス扉の意匠性を損ねず、見栄えを向上させることができた。
【特許文献１】特表２００２−５２３６６０号公報
【発明の開示】
【発明が解決しようとする課題】
【０００３】
上記した従来のドア錠は、扉ガラス素材に直接穿設した取付穴を利用して取付けできることから、金属枠部分を付設する場合に比べ、全面ガラス扉の意匠性を低下させずに済む。すなわち、一方の錠ケースに設けたスタッドナットを、全面ガラスの取付穴を介して他方の錠ケースに挿入し、このスタッドナットに他方の錠ケースを螺着することで、扉表裏に一対の錠ケースを挟着する。このような面付錠の挟着構造では、開閉体素材が、木質素材や金属製であれば、開閉体自体の変形によって締め付け負荷の一部が吸収されるが、開閉体が上記のガラス素材である場合には、変形による応力吸収作用が極めて小さいため、締め付け力が過大となると、錠ケースが変形し、これを想定した化粧カバー等が必要となり、締め付け力がさらに大きい場合には、ガラス開閉体自体に破損の虞が生じた。
【０００４】
本発明は上記状況に鑑みてなされたもので、錠ケースの取付け時の締め付け負荷が直接的にガラス開閉体に加わらない面付錠の固定構造を提供し、もって、ガラス開閉体の破損、錠ケースの変形を防止して、錠ケースの確実な固定を図ることを目的とする。
【課題を解決するための手段】
【０００５】
次に、上記の課題を解決するための手段を、実施の形態に対応する図面を参照して説明する。
本発明の請求項１記載の面付錠の固定構造は、ガラス開閉体１１ｂを表裏から挟む一対の錠ケース２１ａ，２１ｂと、
一方の前記錠ケース２１ｂに基端部が固定され前記ガラス開閉体１１ｂを貫通して他方の前記錠ケース２１ａに挿入され先端面に雌ネジ３０３を有するスタッドナット３０１と、
他方の前記錠ケース２１ａ内に基端部が固定され先端部が自由端となり、前記基端部に対して少なくとも一対の先端部を備えた形状の片持ち固定プレート３０５と、
該片持ち固定プレート３０５の先端部と前記スタッドナット３０１の先端面との間に設けられた締め付け間隙ｋと、
前記片持ち固定プレート３０５の先端部を貫通して前記スタッドナット３０１の雌ネジ３０３に螺合される取付ネジ３２１と、
を具備するとともに、
前記片持ち固定プレート３５の各先端部には前記取付ネジ３２１を貫通させる取付穴３２３が、前記片持ち固定プレート３５の基端部から先端部３０９に向かう方向に長い長穴で形成されていることを特徴とする。
【０００６】
この面付錠の固定構造では、螺合固定時に、片持ち固定プレート３０５が取付ネジ３２１によって締め付けられると、先端部３０９が締め付け間隙ｋの分変形可能となり、この変形によって締め付け負荷が一部吸収されて直接的にガラス開閉体１１ｂに加わらなくなる。また、片持ち固定プレート先端部の締め付けに伴う取付穴３２３の変位が、長穴形状によって吸収される。つまり、取付穴３２３の穿設された先端部３０９が締め付け間隙ｋを縮める方向に傾斜しても、長穴の長手方向に沿って、取付ネジ３２１の挿入軸心ｇが移動可能となる。そして、少なくとも一対となる各先端部の間には、包囲領域（他部材の配置スペース）３２５が確保されつつ、その周囲に複数の取付ネジ３２１が配置可能となる。
【０００７】
請求項２記載の面付錠の固定構造は、前記片持ち固定プレート３０５が、
短冊状に形成した前記基端部３０７の長手方向両端から同一方向に前記先端部３０９ａ，３０９ｂを延出した一対の長板３１１，３１３と、該一対の長板の間で同一方向に前記先端部３０９ｃを延出した短板３１５とからなる略Ｅ字形状に形成されることを特徴とする。
【０００８】
この面付錠の固定構造では、一対の長板３１１，３１３の間と、短板３１５の先端部３０９ｃを近接させた包囲領域（他部材の配置スペース）３２５が確保されつつ、その周囲に複数の取付ネジ３２１が配置可能となる。
【０００９】
請求項３記載の面付錠の固定構造は、前記片持ち固定プレート３０５の基端部３０７が、選択的に挟入可能な複数枚のライナー３２７を介して他方の前記錠ケース２１ａに螺着されることを特徴とする。
【００１０】
この面付錠の固定構造では、ライナー枚数が選択されることで、扉厚が数種ある場合であっても、扉厚の差分がライナー３２７によって相殺され、各厚みの扉１１ｂに対し、締め付け間隙ｋが確保可能となる。すなわち、扉厚が薄ければライナーの枚数を増やし、扉厚が厚ければライナーの枚数を減らすことで、締め付け間隔ｋをそれぞれに応じて確保可能となる。
【発明の効果】
【００１１】
本発明に係る請求項１記載の面付錠の固定構造によれば、一方の錠ケースに固定したスタッドナットを、ガラス開閉体を貫通して他方の錠ケースに挿入し、他方の錠ケース内に先端部が自由端となる片持ち固定プレートを固定し、片持ち固定プレートの先端部とスタッドナットの先端面との間に締め付け間隙を設け、片持ち固定プレートの先端部を貫通させた取付ネジをスタッドナットの雌ネジに螺合するので、螺合固定時に、片持ち固定プレートが取付ネジによって締め付けられると、先端部が締め付け間隙の分変形可能となり、この変形によって締め付け負荷が一部吸収されて直接的にガラス開閉体に加わらなくなり、ガラス開閉体の破損、錠ケースの変形を防止して、錠ケースの確実な固定を可能にすることができる。また、片持ち固定プレートを、基端部から延出した少なくとも一対の先端部を備える形状としたので、各先端部間に包囲領域を形成して、各先端部にて複数の取付ネジを配置でき、一対の錠ケース同士を、例えば、包囲領域にシリンダ錠やサムターンの配置スペースを確保しながら、複数の取付ネジによって強固に固定できる。さらに、片持ち固定プレートの先端部に、片持ち固定プレートの基端部から先端部に向かう方向に長い長穴で取付穴を形成したので、片持ち固定プレート先端部の締め付けに伴う取付穴の変位を、長穴によって吸収し、取付ネジと取付穴の干渉を防止して、締め付けをスムースにできる。
【００１２】
請求項２記載の面付錠の固定構造によれば、片持ち固定プレートを、基端部の長手方向両端から同一方向に延出した一対の長板と、一対の長板の間で同一方向に延出した短板とからなる略Ｅ字形状に形成したので、一対の長板の間の包囲領域に、短板の先端部を近接させて、複数の取付ネジを配置でき、一対の錠ケース同士を、例えば、包囲領域にシリンダ錠やサムターンの配置スペースを確保しながら、複数の取付ネジによって強固に固定できる。
【００１３】
請求項３記載の面付錠の固定構造によれば、片持ち固定プレートの基端部を、選択的に挟入可能な複数枚のライナーを介して他方の錠ケースに螺着するので、扉厚が数種ある場合であっても、ライナー枚数を選択することで、各厚みの扉に対し、上記の締め付け間隙を確保することができる。
【発明を実施するための最良の形態】
【００１４】
以下、本発明に係る面付錠の固定構造の好適な実施の形態を図面を参照して詳細に説明する。
図１は本発明に係る固定構造を備えた面付錠の室内側から視た斜視図、図２は図１に示した面付錠の取り付けられた全面ガラス扉を室外側から視た正面図、図３は図１に示した面付錠を室外側から視た斜視図である。
本実施の形態による面付錠の固定構造は、ガラス開閉体である例えば両開きの全面ガラス扉に、面付錠の形態として好適に用いることができる。この他、当該固定構造は、片開きの全面ガラス扉、両開き・片開きのスチール扉等に用いても好適なものである。本実施の形態では、当該固定構造を備えた図１に示す面付錠１００が両開きの全面ガラス扉１１（１１ａ，１１ｂ）に設けられる例を説明する。
【００１５】
図２に示すように、建物開口の左右にはガラスパネル１３，１３が設けられ、ガラスパネル１３，１３は開口サッシ等に取付固定されている。ガラスパネル１３，１３に挟まれる出入口開口部には上記した一対の全面ガラス扉１１ａ，１１ｂがヒンジ１５，１５を介して開閉自在に支持され、全面ガラス扉１１ａ，１１ｂは一方向、本実施の形態では室内側へ開放規制可能となる。
【００１６】
全面ガラス扉１１ａ，１１ｂは、例えば一方の全面ガラス扉１１ａが開閉規制され、他方の全面ガラス扉１１ｂのみが開閉可能となる。この場合、一方の全面ガラス扉１１ａの開閉規制は、ヒンジ１５等に設けられる開閉規制手段等によって可能となる。この状態で、他方の全面ガラス扉１１ｂが一方の全面ガラス扉１１ａへ施錠されれば、一対の全面ガラス扉１１ａ，１１ｂの双方は、開閉規制された施錠状態となる。本実施の形態の面付錠１００は、他方の全面ガラス扉１１ｂを一方の全面ガラス扉１１ａへ施錠するように働く。
【００１７】
一方の全面ガラス扉１１ａには被係止体１７が取り付けられ、被係止体１７は面付錠１００から突出するデッドボルト兼用ラッチ（以下、単に、「ラッチ」とも称す。）２５の先端を係止可能としている。つまり、一方の全面ガラス扉１１ａが固定されている状態で、他方の全面ガラス扉１１ｂは、ラッチ２５が被係止体１７に係止することで、室内側（図２の紙面裏面側）への開放が規制される。
【００１８】
ラッチ錠１００は、錠ケース２１と、開閉操作部材であるレバーハンドル２３Ａ，２３Ｂと、ラッチ２５と、レバーハンドル２３Ａ，２３Ｂに並設される施解錠操作部材（サムターン）２７と、施解錠操作部材（シリンダ錠）２９と、トリガー３１とが外部に表出して設けられている。錠ケース２１は、他方の錠ケースである例えば室外側ケース２１ａと、一方の錠ケースである室内側ケース２１ｂとからなる。室外側ケース２１ａと室内側ケース２１ｂとは、全面ガラス扉１１ｂの扉開閉端３２を挟持して取り付けられる。室外側ケース２１ａと室内側ケース２１ｂとのそれぞれからは、先端にハンドル部３３を形成したレバーハンドル２３Ａ，２３Ｂの軸部３５が扉面３７に垂直な方向で突出している。
【００１９】
ラッチ錠１００は、全面ガラス扉１１ｂに固定された錠ケース２１から進退するラッチ２５の先端を扉開閉端３２から突出させて、被係止体１７に係止することで全面ガラス扉１１ｂを施錠（開扉規制状態と）する。レバーハンドル２３Ａ，２３Ｂは、扉面３７に垂直な方向で、全面ガラス扉１１ｂ及び錠ケース２１を軸部３５が貫通して回動自在となっている。ラッチ錠１００は、レバーハンドル２３Ａ，２３Ｂが用いられることで、開閉操作部材が例えば玉状握りハンドル等である場合に比べ、回動中心（軸部３５の中心）から操作力の印加される作用点までの距離が大きく確保され、少ない回転操作力及び少ない回転角度で容易且つ確実に錠機構へ入力可能となっている。
【００２０】
図４は図３に示した面付錠の固定構造を表す斜視図、図５は図４に示した固定構造を構成する部材の分解斜視図、図６は図４に示した固定構造の水平断面図である。
本実施の形態による面付錠１００の固定構造では、全面ガラス扉１１ｂに、一対の室内側ケース２１ｂ、室外側ケース２１ａが表裏から挟着される。室内側ケース２１ｂには複数、本実施の形態では３本の略パイプ状のスタッドナット３０１の基端部が固定され、スタッドナット３０１は全面ガラス扉１１ｂの貫通穴３０２を貫通して室外側ケース２１ａに挿入される。スタッドナット３０１の先端面には雌ネジ３０３が形成されている。
【００２１】
室外側ケース２１ａ内には片持ち固定プレート３０５の基端部３０７が固定され、片持ち固定プレート３０５は先端部３０９が自由端となる。本実施の形態では、片持ち固定プレート３０５が、短冊状に形成した基端部３０７の長手方向両端から同一方向に先端部３０９ａ，３０９ｂを延出した一対の長板３１１，３１３と、一対の長板３１１，３１３の間で同一方向に先端部３０９ｃを延出した短板３１５とからなる略Ｅ字形状に形成される。
【００２２】
片持ち固定プレート３０５は、基端部３０７が透孔３１８，３１８に挿通される２本の固定ネジ３１７，３１７によって室外側ケース２１ａの固定穴３１９に固定される。それぞれの先端部３０９ａ，３０９ｂ、先端部３０９ｃには取付ネジ３２１を貫通させる取付穴３２３が穿設されている。取付穴３２３は、長板３１１，３１３、短板３１５の基端部から先端部３０９ａ，３０９ｂ、先端部３０９ｃに向かう方向に長い長穴で形成されている。
【００２３】
長板３１１，３１３、短板３１５の先端部３０９ａ，３０９ｂ、先端部３０９ｃと、スタッドナット３０１の先端面との間には締め付け間隙ｋ（図６参照）が設けられる。締め付け間隙ｋは、例えば１ｍｍ程度に設定される。先端部３０９ａ，３０９ｂ、先端部３０９ｃは、取付穴３２３に挿通される取付ネジ３２１によってスタッドナット３０１の雌ネジ３０３に螺合される。なお、図中、３２４はワッシャを示す。
【００２４】
取付穴３２３は、長穴で形成されることにより、先端部３０９ａ，３０９ｂ、先端部３０９ｃの締め付けに伴う変位が、長穴形状によって吸収される。つまり、取付穴３２３の穿設された先端部３０９ａ，３０９ｂ、先端部３０９ｃが締め付け間隙ｋを縮める方向に傾斜しても、長穴の長手方向に沿って、取付ネジ３２１の挿入軸心ｇが移動可能となる。これにより、長板３１１，３１３、短板３１５の締め付けに伴う取付穴３２３の変位を、長穴によって吸収し、取付ネジ３２１と取付穴３２３の干渉を防止して、締め付けをスムースにしている。
【００２５】
略Ｅ字形状に形成した片持ち固定プレート３０５は、一対の長板３１１，３１３の間と、短板３１５の先端部３０９ｃを近接させた包囲領域（他部材の配置スペース）３２５が確保されつつ、その周囲に複数の取付ネジ３２１が配置可能となる。片持ち固定プレート３０５によれば略Ｅ字形状に形成したので、一対の長板３１１，３１３の間の包囲領域３２５に、短板３１５の先端部３０９ｃを近接させて複数の取付ネジ３２１を等間隔に配置でき、一対の錠ケース２１ａ，２１ｂ同士を、包囲領域３２５にシリンダ錠２９やサムターン２７を同軸配置しながら、強固に固定できる。なお、図４中、３２８はシリンダ錠２９の挿通空間を示す。
【００２６】
図７は一枚のライナーを挟入した固定構造の水平断面図、図８は固定構造のライナー不使用状態の水平断面図である。
片持ち固定プレート３０５の基端部３０７は、選択的に挟入可能な複数枚（本実施の形態では２枚）のライナー３２７，３２７を介して室外側ケース２１ａに螺着される。ライナー枚数が選択されることで、全面ガラス扉１１ｂの厚みが数種ある場合であっても、扉厚の差分がライナー３２７によって相殺され、各厚みの全面ガラス扉１１ｂに対し、締め付け間隙ｋが確保可能となる。例えば、８，１０，１２ｍｍの厚さの全面ガラス扉１１ｂ，１１ｂＡ，１１ｂＢに、２ｍｍ厚のライナー３２７を図６に示す２枚、図７に示す１枚、図８に示す０枚で調整対応することができる。なお、図５中、３３１は固定ネジ３１７挿通用の透孔を示す。
【００２７】
この面付錠１００の固定構造では、取付ネジ３２１による螺合固定時に、片持ち固定プレート３０５の長板３１１，３１３、短板３１５が取付ネジ３２１によって締め付けられると、先端部３０９ａ，３０９ｂ、先端部３０９ｃが締め付け間隙ｋの分変形可能となり、この変形によって締め付け負荷が一部吸収されて直接的に全面ガラス扉１１ｂに加わらなくなる。
【００２８】
したがって、上記の面付錠１００の固定構造によれば、室内側ケース２１ｂに固定したスタッドナット３０１を、全面ガラス扉１１ｂを貫通して室外側ケース２１ａに挿入し、室外側ケース２１ａ内に先端部３０９ａ，３０９ｂ、先端部３０９ｃが自由端となる片持ち固定プレート３０５を固定し、片持ち固定プレート３０５の先端部３０９ａ，３０９ｂ、先端部３０９ｃとスタッドナット３０１の先端面との間に締め付け間隙ｋを設け、先端部３０９ａ，３０９ｂ、先端部３０９ｃを貫通させた取付ネジ３２１をスタッドナット３０１の雌ネジ３０３に螺合するので、螺合固定時に、片持ち固定プレート３０５が取付ネジ３２１によって締め付けられると、先端部３０９ａ，３０９ｂ、先端部３０９ｃが締め付け間隙ｋの分変形可能となり、この変形によって締め付け負荷が一部吸収されて直接的に全面ガラス扉１１ｂに加わらなくなる。この結果、全面ガラス扉１１ｂの破損、錠ケース２１の変形を防止して、錠ケース２１の確実な固定を可能にすることができる。
【００２９】
なお、上記の実施の形態では、片持ち固定プレート３０５が略Ｅ字型に形成される場合を例に説明したが、本発明に係る固定構造は、これに限定されるものではなく、その他の片持ち固定、例えばコ字型の片持ち固定プレートによるものであってもよい。
【００３０】
また、上記の実施の形態では、開閉操作部材がレバーハンドル２３Ａ，２３Ｂである場合を例に説明したが、本発明に係る面付錠の固定構造は、開閉操作部材が玉状握りハンドル、所謂ノブであっても勿論よい。
【００３１】
さらに、上記の実施の形態では、面付錠１００が、両開きの全面ガラス扉１１に設けられる場合を例に説明したが、本発明に係る面付錠の固定構造は、片開きの全面ガラス扉、両開き・片開きのスチール扉、或いは、木製扉等に用いられても勿論よく、錠装置として小型な構造であることから、小型な扉にも対応可能であり、且つその種々の素材の扉の意匠性に大きな影響を与えることなく、良好な錠装置を構成させることが可能となる。
【図面の簡単な説明】
【００３２】
【図１】本発明に係る固定構造を備えた面付錠の室内側から視た斜視図である。
【図２】図１に示した面付錠の取り付けられた全面ガラス扉を室外側から視た正面図である。
【図３】図１に示した面付錠を室外側から視た斜視図である。
【図４】図４は図３に示した面付錠の固定構造を表す斜視図である。
【図５】図４に示した固定構造を構成する部材の分解斜視図である。
【図６】図４に示した固定構造の水平断面図である。
【図７】一枚のライナーを挟入した固定構造の水平断面図である。
【図８】固定構造のライナー不使用状態の水平断面図である。
【符号の説明】
【００３３】
１１ｂ…ガラス開閉体（全面ガラス扉）
２１ａ…他方の錠ケース（室外側ケース）
２１ｂ…一方の錠ケース（室内側ケース）
１００…面付錠
３０１…スタッドナット
３０３…雌ネジ
３０５…片持ち固定プレート
３０７…基端部
３０９ａ，３０９ｂ，３０９ｃ…先端部
３１１，３１３…長板
３１５…短板
３２１…取付ネジ
３２３…取付穴
３２７…ライナー
ｋ…締め付け間隙
【図１】
0005220389.tif 000002
【図２】
0005220389.tif 000003
【図３】
0005220389.tif 000004
【図４】
0005220389.tif 000005
【図５】
0005220389.tif 000006
【図６】
0005220389.tif 000007
【図７】
0005220389.tif 000008
【図８】
0005220389.tif 000009